(57)【要約】      （修正有）【課題】ＮＦＣ発射源の場所でＬＥＤランプを点灯させ、検知距離を効果的に増加できる、近距離無線通信発光機能を備えたＰＣＢマイクロモジュールを提供する。【解決手段】ＰＣＢマイクロモジュールは、検知信号増強モジュールと発光回路３０を含み、検知信号増強モジュールが、フレキシブル両面ＰＣＢ１０を含み、フレキシブル両面ＰＣＢ１０の一面上にフレキシブル背面接着フェライト磁性シート２０が貼付され、発光回路３０が、フレキシブル両面ＰＣＢ１０上の他方の一面に設置された信号検知コイル３１と、整流昇圧回路と、ＬＥＤランプ３２を含み、検知コイル３１がＮＦＣ信号源を検知すると、整流昇圧回路を通じて微弱な電圧信号を高め、安定した電圧を出力してＬＥＤランプ３２を駆動し、点灯させる。【選択図】図１
0003211671.tif 000002
【実用新案登録請求の範囲】
【請求項１】
近距離無線通信発光機能を備えたＰＣＢマイクロモジュールであって、検知信号増強モジュールと、発光回路を含み、
前記検知信号増強モジュールが、フレキシブル両面ＰＣＢの一面に貼付されたフレキシブル背面接着フェライト磁性シートを含み、
前記発光回路が、前記フレキシブル両面ＰＣＢの他方の一面に設置された信号検知コイルと、整流昇圧回路と、ＬＥＤランプを含み、前記整流昇圧回路が前記信号検知コイルに接続され、前記ＬＥＤランプが前記整流昇圧回路に接続されたことを特徴とする、近距離無線通信発光機能を備えたＰＣＢマイクロモジュール。
【請求項２】
前記フレキシブル背面接着フェライト磁性シートが、鉄粉と樹脂の混合で成り、かつ別の平面が粘着性を備え、厚さが０.２ｍｍより小さいことを特徴とする、請求項１に記載の近距離無線通信発光機能を備えたＰＣＢマイクロモジュール。
【請求項３】
前記整流昇圧回路が少なくとも２つのダイオードと２つのキャパシタを含み、前記２つのダイオードが前記２つのキャパシタに直列接続され、かつ前記信号検知コイルに接続されたことを特徴とする、請求項１に記載の近距離無線通信発光機能を備えたＰＣＢマイクロモジュール。
【考案の詳細な説明】
【技術分野】
【０００１】
本考案は近距離無線通信分野の技術に関し、特に、近距離無線通信発光機能を備えたＰＣＢマイクロモジュールに関する。
【背景技術】
【０００２】
現在ＮＦＣは、例えばスマートフォンでの支払い機能や入出管理、バスカード等、非常に幅広く応用されており、受信装置がＮＦＣ発射源に近づけられたとき、カードの読取りや乗車料金の支払い等の機能を実行することができる。既存の技術では、発射源が提示音で検知が成功したか否かを知らせるが、うるさい環境で使用されるとき、音が小さすぎると外界の音の干渉を受けて検知が成功したか否かを判断できないことがあり、また聴覚障害者にとっては極めて不便である。さらに、ＮＦＣ発射信号の強弱には違いがあり、発射信号が弱いと、検知可能な距離が短くなる。
【考案の概要】
【考案が解決しようとする課題】
【０００３】
これに鑑み、本考案の目的は、既存の技術の欠点に対して、主に検知信号増強モジュールと発光回路を含み、ＮＦＣ発射源がある場所でＬＥＤランプを点灯させ、検知距離を効果的に増加できる、近距離無線通信発光機能を備えたＰＣＢマイクロモジュールを提供することにある。
【課題を解決するための手段】
【０００４】
上述の目的を達するため、本考案は次の技術を採用する。
【０００５】
本考案の近距離無線通信発光機能を備えたＰＣＢマイクロモジュールは、検知信号増強モジュールと、発光回路を含み、前記検知信号増強モジュールが、フレキシブル両面ＰＣＢの一面に貼付されたフレキシブル背面接着フェライト磁性シートを含み、前記発光回路が、前記フレキシブル両面ＰＣＢの他方の一面に設置された信号検知コイルと、整流昇圧回路と、ＬＥＤランプを含み、前記整流昇圧回路が前記信号検知コイルに接続され、前記ＬＥＤランプが前記整流昇圧回路に接続される。
【０００６】
本考案の近距離無線通信発光機能を備えたＰＣＢマイクロモジュールにおいて、そのうち、前記フレキシブル背面接着フェライト磁性シートは鉄粉と樹脂の混合で成り、かつ別の平面が粘着性を備え、厚さが０.２ｍｍより小さい。
【０００７】
本考案の近距離無線通信発光機能を備えたＰＣＢマイクロモジュールにおいて、そのうち、前記整流昇圧回路が少なくとも２つのダイオードと２つのキャパシタを含み、前記２つのダイオードが前記２つのキャパシタに直列接続され、かつ前記信号検知コイルに接続される。
【考案の効果】
【０００８】
本考案は既存の技術と比較して明らかな優位性と有益な効果を備えている。具体的には、上述の技術から分かるように、本考案の近距離無線通信発光機能を備えたＰＣＢマイクロモジュールは検知信号増強モジュールと発光回路を統合しており、この設計により以下の問題を解決することができる。１.ＮＦＣ発射源がある場所でＬＥＤランプを点灯させることができ、また電源を必要としない。２.ＮＦＣ発射信号が弱いとき、磁性シートで信号検知強度を増強し、検知距離を高めることができる。
【図面の簡単な説明】
【０００９】
【図１】本考案の一実施例における近距離無線通信発光機能を備えたＰＣＢマイクロモジュールの製品図である。
【図２】本考案の一実施例における近距離無線通信発光機能を備えたＰＣＢマイクロモジュールの側面図である。
【図３】本考案の一実施例における近距離無線通信発光機能を備えたＰＣＢマイクロモジュールの回路図である。
【考案を実施するための形態】
【００１０】
本考案の目的、特徴、効果について充分に理解できるように、以下で具体的な実施例に添付の図面を組み合わせ、本考案について詳細に説明する。
【００１１】
図１と図３に本考案の最良の実施例の具体的な構造を示す。本考案の近距離無線通信発光機能を備えたＰＣＢマイクロモジュールは、ＮＦＣ発射源がある場所で応用され、信号増強モジュールと発光回路３０を含む。
【００１２】
そのうち、フレキシブル背面接着フェライト磁性シート２０がフレキシブル両面ＰＣＢ１０の一面に貼付され、主に信号の増強に用いられる。
【００１３】
前記発光回路３０は少なくとも２つのダイオード３３Ｄ１、Ｄ２と、２つのキャパシタ３４Ｃ１、Ｃ２、ＬＥＤランプ３２及び信号検知コイル３１を含み、そのうち、前記信号検知コイル３１の一端がダイオード３３Ｄ１の負極およびダイオード３３Ｄ２の正極と接続され、ダイオード３３Ｄ１の正極とキャパシタ３４Ｃ１の一端が接続され、ダイオード３３Ｄ２の負極とキャパシタ３４Ｃ２の一端が接続され、キャパシタ３４Ｃ１とＣ２の他端が前記信号検知コイル３１の他端に接続される。前記信号検知コイル３１が信号を検知すると、ダイオード３３Ｄ１、Ｄ２とキャパシタ３４Ｃ１、Ｃ２を通じて昇圧し、ＬＥＤランプ３２を駆動して点灯させる。
【００１４】
本考案は上述で最良の実施例を開示したが、当業者であれば理解できるように、この実施例は単に本考案を説明するために用いたのみであり、本考案の範囲を限定すると理解されるべきではない。注意すべきは、この実施例と同等効果を有する変化および置換はすべて、本考案の範疇内に含まれることである。このため、本考案の保護範囲は、特許請求の範囲の定義に準じる。
【符号の説明】
【００１５】
１０  フレキシブル両面ＰＣＢ
２０  フレキシブル背面接着フェライト磁性シート
３０  発光回路
３１  信号検知コイル
３２  ＬＥＤランプ
３３  ダイオード
３４  キャパシタ
【図１】
0003211671.tif 000003
【図２】
0003211671.tif 000004
【図３】
0003211671.tif 000005